(57)【特許請求の範囲】
【請求項１】
植物の根が貫通可能な連続空隙を有するポーラスコンクリートからなる版状のブロック本体の上面に、植生用の客土が収容できる方形状をした複数のポット状の凹陥部を備えるとともに、該ブロック本体の前後の側面に互いに隣り合わせに接合したブロック間において互いに嵌り合う形状の段部を備え、かつブロック本体の側面と該側面側の凹陥部間に連結ボルト挿入用の貫通孔を備えてなる緑化護岸用コンクリートブロック。
【請求項２】
植物の根が貫通可能な連続空隙を有するポーラスコンクリートからなる版状のブロック本体の上面に、植生用の客土が収容できる方形状をした複数のポット状の凹陥部を備えるとともに、該ブロック本体の前後の側面に、互いに前後の隣り合わせに接合されるブロック間において互いに嵌り合う形状の段部を備え、かつブロック本体の側面と該側面側の凹陥部間に連結ボルト挿入用の貫通孔を備えてなる緑化護岸用コンクリートブロックを使用し、該緑化護岸用コンクリートブロックを前後左右に並べて河川等の堤防の法面を覆うように敷設し、前後の前記緑化護岸用コンクリートブロック間においては前記段部を互いに嵌り合わせ、かつ前後左右の緑化護岸用コンクリートブロック間において互いに隣り合うブロック側面に設けられている前記貫通孔間に連結ボルトをまたがらせて挿入して各ブロック間を固定し、前記各緑化護岸用コンクリートブロックのポット状の凹陥部に客土を収容し、該客土内に草類を植生することを特徴としてなる堤防法面の護岸緑化方法。
【請求項３】
凹陥部内に収容した客土及び又はブロック本体内の空隙内に充填した客土内に、草類の種子を含ませ、該種子の発芽、成育によって植生する請求項２に記載の堤防法面の護岸緑化方法。
【発明の詳細な説明】
【０００１】
【発明の属する技術分野】
本発明は、主として、河川、湖沼等の岸辺の緑化及び護岸に用いる緑化護岸用コンクリートブロック及び該ブロックを用いた堤防法面の護岸緑化方法に関する。
【０００２】
【従来の技術】
従来、河川の堤防の護岸には、法面をコンクリートブロックや場所打ちコンクリート等のコンクリート構造物によって覆う構造のものや、法面に草類を植生し、根の土壌緊縛力によって表面を強化するとともに、緑化する構造のものが採用されており、高水護岸、即ち、異常時の増水によってしか水流に洗われることのない部分の護岸には、地山表面に直接的に植生を施すか、法面に設置した法枠等のコンクリート構造物の上面に盛り上げた客土に植生を施す方法が採用されている。
【０００３】
【発明が解決しようとする課題】
上述の如き、従来の高水護岸構造にあって、植生を施したものにおいては、通常時は緑化がなされた状態が維持されるが、特に、コンクリート構造物の表面に客土を施して植生したものにあっては、客土とともに植生が剥れ易く、台風等の異常増水時に流失するという問題があった。
【０００４】
また、地山に直接的に草類を植生したものにあっては、コンクリート構造物による被覆に比べて護岸機能が低いという問題があった。
【０００５】
本発明は、このような従来の問題に鑑み、特に、高水護岸においても、護岸機能が高く、かつ、植生が非常時の増水によっても流失されず、緑化が維持される緑化護岸用コンクリートブロック及び該ブロックを用いた堤防法面の護岸方法の提供を目的としたものである。
【０００６】
【課題を解決するための手段】
上述の如き従来の問題を解決し、所期の目的を達成するための請求項１に記載の発明の特徴は、植物の根が貫通可能な連続空隙を有するポーラスコンクリートからなる版状のブロック本体の上面に、植生用の客土が収容できる方形状をした複数のポット状の凹陥部を備えるとともに、該ブロック本体の前後の側面に互いに隣り合わせに接合したブロック間において互いに嵌り合う形状の段部を備え、かつブロック本体の側面と該側面側の凹陥部間に連結ボルト挿入用の貫通孔を備えてなる緑化護岸用コンクリートブロックにある。
請求項２に記載の発明の特徴は、植物の根が貫通可能な連続空隙を有するポーラスコンクリートからなる版状のブロック本体の上面に、植生用の客土が収容できる方形状をした複数のポット状の凹陥部を備えるとともに、該ブロック本体の前後の側面に、互いに前後の隣り合わせに接合されるブロック間において互いに嵌り合う形状の段部を備え、かつブロック本体の側面と該側面側の凹陥部間に連結ボルト挿入用の貫通孔を備えてなる緑化護岸用コンクリートブロックを使用し、該緑化護岸用コンクリートブロックを前後左右に並べて河川等の堤防の法面を覆うように敷設し、前後の前記緑化護岸用コンクリートブロック間においては前記段部を互いに嵌り合わせ、かつ前後左右の緑化護岸用コンクリートブロック間において互いに隣り合うブロック側面に設けられている前記貫通孔間に連結ボルトをまたがらせて挿入して各ブロック間を固定し、前記各緑化護岸用コンクリートブロックのポット状の凹陥部に客土を収容し、該客土内に草類を植生することを特徴としてなる堤防法面の護岸緑化方法にある。
請求項３に記載の発明の特徴は、前記請求項２の構成に加え、凹陥部内に収容した客土及び又はブロック本体内の空隙内に充填した客土内に、草類の種子を含ませ、該種子の発芽、成育によって植生することにある。
【０００７】
尚、凹陥部内に収容した客土及び又はブロック本体内の空隙内に充填した客土内に、草類の種子を含ませ、該種子の発芽、成育によって植生することが好ましい。
【０００８】
【作用】
本発明の緑化護岸用コンクリートブロックの使用に際しては、堤防等の護岸を施すための地山面にこれを並べて設置し、法面を多数のコンクリートブロックにて覆う。これによって、コンクリートブロックの重量により地山の崩落及び流失が防がれる。
【０００９】
ブロックの設置に先立ち、ブロック本体の連続空隙内に客土や草類の種子及び肥料を充填しておくか、該ブロックを敷設した後、ポット状凹陥部内に客土を詰め、草類の種子や苗を植え付ける。
【００１０】
このようにして植え付けられた草類は、ポット状凹陥部内に根を張って客土を緊縛するとともに、ブロック本体の連続空隙内に伸長し、ブロック本体と一体化する。更に、根が伸びてブロック本体を貫通し、裏面の地山内に伸びて地山を緊縛することにより、ブロック本体が地山に強固に定着されるとともに、地山を根の緊縛力によって強化する。
【００１１】
【発明の実施の形態】
次に本発明の実施の形態を図面に示す実施例について説明する。
【００１２】
図１〜図４は、本発明の第１実施例の緑化護岸用コンクリートブロックＡを示している。
【００１３】
図において１は、正方形の版状をしたブロック本体である。このブロック本体１は、草類の根が伸長可能な連続空隙を有するポーラスコンクリートにより成形されている。ポーラスコンクリートは、ペースト状のセメントモルタルを結合材とし、これを粗骨材である砕石にまぶした状態の混練物を型に入れ、必要な振動を加え、締め、各粗骨材間を結合材にて一体化させたものであり、各粗骨材間に連続した空隙が形成されている。また、粗骨材の大きさ及び結合材の量を選定することにより、空隙の大きさを草類の根がその内部を伸長できるものとしている。
【００１４】
ブロック本体の上面には、方形状をした複数の凹陥部２、２…が格子状配置に形成されている。この凹陥部の大きさ及び深さ及びブロック本体の厚さは用途に応じて適宜変更する。
【００１５】
ブロック本体１の前後の側面は、互いに隣り合わせに接合したブロック間において、互いに嵌り合う形状の段部が形成され、一方の側面には下側に張り出し部３が一体成形され、他方の側面には上側に張り出し部４が一体成形されている。
【００１６】
また、ブロック本体１の各側面側の凹陥部２、２…と各側面間には、連結ボルト挿入用の貫通孔５、５…が形成されている。
【００１７】
次にこのように構成される緑化護岸用コンクリートブロックＡを使用した護岸緑化方法について説明する。
【００１８】
図５は、緑化護岸用ブロックＡを河川の堤防の高水護岸に用いた例を示しており、図において１０は、堤防の非常増水時に冠水予想される高さの地山であり、その表面に前述したブロックＡを前後左右、即ち堤防の傾斜に沿った上下左右に並べ、地山１０の表面を覆うように敷設する。そして、互いに隣り合うブロックＡ、Ａ……の貫通孔５、５にまたがらせ、即ち、前後左右のブロックＡ，Ａ間において互いに隣り合うブロック側面に設けられている貫通孔５，５に連結ボルト６をまたがらせて挿入し、互いに隣り合うブロックＡ，Ａ間を固定する。また、前後側のブロックＡ、Ａ間の接合は前述した段部を互いに嵌め合わせて設置する。
【００１９】
次いで、各ブロックＡ、Ａ…の凹部陥部２、２…内に客土７を充填し、その中に草類の種子を植える。種子の植え付けは、客土７内に予め種子を肥料とともに混入させておいてもよく、客土７の充填後に植え付けてもよい。
【００２０】
また、各ブロックＡの設置に先立ち、ブロック本体１の連続空隙内に客土及び種子を予め充填しておき、これを地山１０の表面上に設置してもよい。
【００２１】
このようにして、ブロックＡの敷設、種子の植え付けの後、種子が発芽し、成長することにより、根が凹陥部２内に張って、客土７を緊縛するとともに、ブロック本体１の空隙内に侵入してブロック本体１と一体化する。更に、空隙を貫通してブロック本体１の下面にまで根が伸長し、地山１０内に伸びて地山土砂を緊縛し、地山１０とブロック本体１とを一体化させる。
【００２２】
【発明の効果】
上述したように、本発明においては、植物の根が貫通可能な連続空隙を有するポーラスコンクリートからなる版状のブロック本体の上面に、植生用の客土が収容できる方形状をした複数のポット状の凹陥部を備えるとともに、該ブロック本体の前後の側面に、互いに前後の隣り合わせに接合されるブロック間において互いに嵌り合う形状の段部を備え、かつブロック本体の側面と該側面側の凹陥部間に連結ボルト挿入用の貫通孔を備えてなる緑化護岸用コンクリートブロックを、前後間においては前記段部を互いに嵌り合わせ、左右間においては前記貫通孔に連結ボルトをまたがらせて挿入して両者間を固定して、前記河川等の堤防の法面を覆うように並べて敷設することによって法面を覆うことにより、ブロック自体の重量によってその流失が防止されるとともに、そのブロック本体の凹陥部及び空隙内に草類を植生させることにより、その根がブロック本体下面の地山に達し、地山とブロック本体とを一体化させて、ブロックによる護岸機能が高められる。
【００２３】
植生された草類は、ブロックの曲りくねった空隙内に根が侵入することにより、ブロックと一体化し、容易に抜け出なくなり、非常増水時においても流失せずに、緑化及び護岸機能が維持される。
【図面の簡単な説明】
【図１】本発明に係るブロックの一例の平面図である。
【図２】図１中のＡ−Ａ線断面図である。
【図３】図１中のＢ−Ｂ線断面図である。
【図４】図１中のＣ−Ｃ線断面図である。
【図５】本発明の護岸緑化方法の一例の断面図である。
【符号の説明】
Ａ  緑化護岸用コンクリートブロック
１  ブロック本体
２  凹陥部
３  張り出し部
４  張り出し部
５  貫通孔
６  連結ボルト
７  客土
１０  地山
【図１】
0003763110.tif 000002
【図２】
0003763110.tif 000003
【図３】
0003763110.tif 000004
【図４】
0003763110.tif 000005
【図５】
0003763110.tif 000006